(57)【要約】【課題】カラーと単色モードに応じて転写ベルトと吸着ローラを変位させる構成において、従来よりもコストダウンが可能な画像形成装置を提供すること。【解決手段】揺動フレーム５５は、補助ローラ１５を支軸に本体フレーム５０に揺動自在に支持される。吸着ローラ２４は、揺動フレーム２４１に支持され、揺動フレーム２４１は、本体フレーム５０に揺動自在に支持される。カラーから単色モードへの切換時にモータ６１が駆動されると、その駆動力により揺動フレーム２４１がＥ方向に揺動する。揺動フレーム２４１のアーム２４１１、２４１２が揺動フレーム５５の折曲片５３２、５４２に当接し、揺動フレーム２４１が揺動フレーム５５を押圧する。吸着ローラ２４が転写ベルト１１と接触した状態で、揺動フレーム５５が圧縮バネ５７、５８の付勢力に抗して揺動フレーム２４１と一緒にＥ方向に揺動する。【選択図】図３
2008276140.tif 000002
【特許請求の範囲】
【請求項１】
列状に配設された複数の像担持体上に形成された各画像を、転写ベルトにより搬送されるシート上に順次静電転写するカラーモードと、シート搬送方向最上流の像担持体を除く単色用の像担持体上に形成された画像を前記シート上に静電転写する単色モードとを切り換えて実行可能な画像形成装置であって、
転写ベルトを、そのシート搬送面が全ての像担持体に接触する第１位置とシート搬送面のうち単色用の像担持体よりもシート搬送方向上流側の部分が単色モードの画像形成に関与しない像担持体から離間する第２位置との間を変位自在に支持する第１支持手段と、
前記最上流の像担持体よりもシート搬送方向上流側に位置し、静電的に前記シートをシート搬送面に吸着させる帯電部材と、
帯電部材を、転写ベルトのシート搬送面から離間している離間位置とシート搬送面に接触する接触位置との間を変位自在に支持する第２支持手段と、
転写ベルトと帯電部材のいずれか一方の部材を変位させる一の駆動源と、を備え、
転写ベルトが第１位置、帯電部材が離間位置に位置しているときに、カラーから単色モードへの切換のために一方の部材の変位動作が行われると、その駆動力が他方の部材に伝達され、伝達された力により当該他方の部材が当該一方の部材の変位動作と連動して、転写ベルトが第２位置、帯電部材が接触位置に変位することを特徴とする画像形成装置。
【請求項２】
前記第１支持手段は、
転写ベルトの内側に配され転写ベルトを張架する複数のローラのうち、単色用の像担持体よりもシート搬送方向上流側に位置する１以上のローラを支持する第１支持部と、
転写ベルトのシート搬送面のうち単色用の像担持体よりもシート搬送方向上流側の部分が前記画像形成に関与しない像担持体に対し接離する方向に揺動するように、第１支持部をシート搬送方向下流側の所定の第１支軸を中心に揺動自在に支持する第２支持部と、
転写ベルトの揺動部分が前記画像形成に関与しない像担持体に近づく方向に揺動されるときの当該方向と同じ第１方向に第１支持部を付勢する第１付勢手段と、
前記付勢力に抗して第１支持部を、転写ベルトが第１位置に位置するように停止させる第１停止手段と、を備え、
前記第２支持手段は、
帯電部材を支持する第３支持部と、
第３支持部を帯電部材の変位動作と略同じ方向に移動自在に支持する第４支持部と、
を備え、
前記一の駆動源は、帯電部材を変位させ、
帯電部材の変位動作の際に、帯電部材と転写ベルトおよび／または第３支持部と第１支持部の係合部を介して第１支持部に第１方向とは逆の第２方向に押圧する力が作用し、第１支持部が前記付勢力に抗して第２方向に揺動することを特徴とする請求項１に記載の画像形成装置。
【請求項３】
前記第４支持部は、第３支持部を所定の第２支軸を中心に揺動自在に支持し、
前記第２支持手段は、
帯電部材が接触位置から離間位置に変位動作するときの方向と同じ第３方向に第３支持部を付勢する第２付勢手段と、
前記付勢力に抗して第３支持部を、帯電部材が離間位置に位置するように停止させる第２停止手段と、を備え、
前記一の駆動源からの駆動力により第３支持部に第３方向とは逆の第４方向に押圧する力が作用し、第３支持部が前記付勢力に抗して第４方向に揺動することを特徴とする請求項２に記載の画像形成装置。
【請求項４】
前記第４支持部は、第３支持部をシート搬送面と略直交する方向に移動自在に支持し、
前記第２支持手段は、
帯電部材が離間位置から接触位置に変位動作するときの方向と同じ第３方向に第３支持部を付勢する第２付勢手段と、
前記付勢力に抗して第３支持部を、帯電部材が離間位置に位置するように停止させる第２停止手段と、を備え、
前記一の駆動源からの駆動力により第２停止手段の停止が解除され、第３支持部が前記付勢力により第３方向に移動することを特徴とする請求項２に記載の画像形成装置。
【請求項５】
前記第１支持部に支持される１以上のローラは、
単色用の像担持体よりもシート搬送方向上流側に位置する複数のローラのうち、シート搬送方向最上流に位置するローラを除く１以上のローラであり、
前記シート搬送方向最上流のローラが前記第２支持部に支持されていることを特徴とする請求項２乃至４のいずれか１項に記載の画像形成装置。
【請求項６】
転写ベルトにシートを案内するガイド部材を備え、
前記ガイド部材は、帯電部材が変位動作するときの方向と略同じ方向に所定の第３支軸を中心に揺動自在に支持されており、
帯電部材または第３支持部と係合し、帯電部材の変位動作に連動して揺動することによりシートの転写ベルトへの突入位置を変えることを特徴とする請求項２乃至５のいずれか１項に記載の画像形成装置。
【請求項７】
カラーモードにおいてシート搬送方向最上流の像担持体に対応して設けられた転写手段に転写電圧を供給する転写電圧供給手段を備え、
前記転写電圧供給手段は、
単色モードでは前記転写電圧を転写手段に代えて帯電部材に供給することを特徴とする請求項１乃至６のいずれか１項に記載の画像形成装置。
【発明の詳細な説明】
【技術分野】
【０００１】
本発明は、カラーと単色の画像形成の切り換えが可能な複写機やプリンタなどの画像形成装置に関する。
【背景技術】
【０００２】
カラー画像形成装置の分野では、感光体ドラムや転写器、感光体ドラムに当接して残留トナーを清掃するクリーナなどを中核とするイエロー、マゼンタ、シアン、ブラック色用の作像ユニットを、この順に転写ベルトの用紙搬送方向に沿って配列し、それぞれの作像ユニットで形成した各色トナー像を、転写ベルトによって搬送される用紙上に重ね合わせて転写する、いわゆるタンデム方式のものがある。
【０００３】
このようなタンデム方式の画像形成装置として、特許文献１には、転写ベルトを、その用紙搬送面が全ての感光体ドラムに接触する第１位置と、用紙搬送面のうちブラック用の感光体ドラムよりも用紙搬送方向上流側の部分がイエロー、マゼンタ、シアン用の感光体ドラムから離間する第２位置との間を揺動自在に支持する支持機構、および転写ベルト揺動のための駆動力を支持機構に付与して転写ベルトを揺動させるソレノイド等のアクチュエータを備える画像形成装置が開示されている。
【０００４】
この画像形成装置では、カラーモード時に転写ベルトが第１位置に位置して全ての感光体ドラムを用いて画像形成が行われる。一方、単色モード時には、転写ベルトの位置が第１位置から第２位置に切り換えられてブラックの作像ユニットのみを使用して画像形成が行われる。イエロー、マゼンタ、シアン用の感光体ドラムが転写ベルトから離間するので、転写ベルトと接触して摺動することによる感光体ドラムの摩耗等を防止できる。
【０００５】
また、特許文献２には、転写ベルトを揺動可能なタンデム方式において、転写ベルトの用紙搬送面に用紙を静電吸着させるための吸着ローラを最上流の作像ユニットよりも用紙搬送方向上流側の位置に配し、カラーモードの場合には第１位置に位置する転写ベルトから吸着ローラが離間し、単色モードの場合には第２位置に位置する転写ベルトに吸着ローラが接触するように吸着ローラを移動させる構成の画像形成装置が開示されている。
【０００６】
このようにカラーモードで吸着ローラを転写ベルトから離間させることにより、カラーモードにおいて吸着ローラの吸着電流が最上流の作像ユニットの転写部に流入して転写に影響を与えるといったことを防止できる。これにより、吸着ローラの転写ベルトへの接触位置と最上流の作像ユニットの転写位置との間の距離をより短くして、装置の小型化を図ることが可能になる。
【特許文献１】特開平６ー２５８９１４号公報
【特許文献２】特開平３ー２８８１７３号公報
【発明の開示】
【発明が解決しようとする課題】
【０００７】
しかしながら、上記従来の構成では転写ベルトと吸着ローラそれぞれに駆動用のアクチュエータが必要になり、コスト高になるという問題がある。
本発明は、上記の問題点に鑑みてなされたものであって、カラーと単色モードを切り換えて実行可能であり、モードに応じて転写ベルトを変位させる構成において、従来よりもコスト低減が可能な画像形成装置を提供することを目的としている。
【課題を解決するための手段】
【０００８】
上記目的を達成するため、本発明に係る画像形成装置は、列状に配設された複数の像担持体上に形成された各画像を、転写ベルトにより搬送されるシート上に順次静電転写するカラーモードと、シート搬送方向最上流の像担持体を除く単色用の像担持体上に形成された画像を前記シート上に静電転写する単色モードとを切り換えて実行可能な画像形成装置であって、転写ベルトを、そのシート搬送面が全ての像担持体に接触する第１位置とシート搬送面のうち単色用の像担持体よりもシート搬送方向上流側の部分が単色モードの画像形成に関与しない像担持体から離間する第２位置との間を変位自在に支持する第１支持手段と、前記最上流の像担持体よりもシート搬送方向上流側に位置し、静電的に前記シートをシート搬送面に吸着させる帯電部材と、帯電部材を、転写ベルトのシート搬送面から離間している離間位置とシート搬送面に接触する接触位置との間を変位自在に支持する第２支持手段と、転写ベルトと帯電部材のいずれか一方の部材を変位させる一の駆動源と、を備え、転写ベルトが第１位置、帯電部材が離間位置に位置しているときに、カラーから単色モードへの切換のために一方の部材の変位動作が行われると、その駆動力が他方の部材に伝達され、伝達された力により当該他方の部材が当該一方の部材の変位動作と連動して、転写ベルトが第２位置、帯電部材が接触位置に変位することを特徴とする。
【発明の効果】
【０００９】
このように、いずれか一方を１つの駆動源により変位動作させることで他方が連動して変位動作する構成としたので、転写ベルトと帯電部材それぞれについてモータ等のアクチュエータを備える必要がなくなり、コスト低減を図れる。
また、前記第１支持手段は、転写ベルトの内側に配され転写ベルトを張架する複数のローラのうち、単色用の像担持体よりもシート搬送方向上流側に位置する１以上のローラを支持する第１支持部と、転写ベルトのシート搬送面のうち単色用の像担持体よりもシート搬送方向上流側の部分が前記画像形成に関与しない像担持体に対し接離する方向に揺動するように、第１支持部をシート搬送方向下流側の所定の第１支軸を中心に揺動自在に支持する第２支持部と、転写ベルトの揺動部分が前記画像形成に関与しない像担持体に近づく方向に揺動されるときの当該方向と同じ第１方向に第１支持部を付勢する第１付勢手段と、前記付勢力に抗して第１支持部を、転写ベルトが第１位置に位置するように停止させる第１停止手段と、を備え、前記第２支持手段は、帯電部材を支持する第３支持部と、第３支持部を帯電部材の変位動作と略同じ方向に移動自在に支持する第４支持部と、を備え、前記一の駆動源は、帯電部材を変位させ、帯電部材の変位動作の際に、帯電部材と転写ベルトおよび／または第３支持部と第１支持部の係合部を介して第１支持部に第１方向とは逆の第２方向に押圧する力が作用し、第１支持部が前記付勢力に抗して第２方向に揺動することを特徴とする。
【００１０】
さらに、前記第４支持部は、第３支持部を所定の第２支軸を中心に揺動自在に支持し、前記第２支持手段は、帯電部材が接触位置から離間位置に変位動作するときの方向と同じ第３方向に第３支持部を付勢する第２付勢手段と、前記付勢力に抗して第３支持部を、帯電部材が離間位置に位置するように停止させる第２停止手段と、を備え、前記一の駆動源からの駆動力により第３支持部に第３方向とは逆の第４方向に押圧する力が作用し、第３支持部が前記付勢力に抗して第４方向に揺動することを特徴とする。
【００１１】
また、前記第４支持部は、第３支持部をシート搬送面と略直交する方向に移動自在に支持し、前記第２支持手段は、帯電部材が離間位置から接触位置に変位動作するときの方向と同じ第３方向に第３支持部を付勢する第２付勢手段と、前記付勢力に抗して第３支持部を、帯電部材が離間位置に位置するように停止させる第２停止手段と、を備え、前記一の駆動源からの駆動力により第２停止手段の停止が解除され、第３支持部が前記付勢力により第３方向に移動することを特徴とする。
【００１２】
このようにすれば、バネ等の付勢手段による簡易な構成で転写ベルトや帯電部材を揺動自在に支持できる。また、帯電部材の方を駆動することで転写ベルトを変位させることができる。
また、前記第１支持部に支持される１以上のローラは、単色用の像担持体よりもシート搬送方向上流側に位置する複数のローラのうち、シート搬送方向最上流に位置するローラを除く１以上のローラであり、前記シート搬送方向最上流のローラが前記第２支持部に支持されていることを特徴とする。
【００１３】
このようにすれば、シート搬送方向最上流に位置するローラの位置を固定でき、転写ベルトの装置本体に対する位置決めをより精度良く行うことができる。
また、転写ベルトにシートを案内するガイド部材を備え、前記ガイド部材は、帯電部材が変位動作するときの方向と略同じ方向に所定の第３支軸を中心に揺動自在に支持されており、帯電部材または第３支持部と係合し、帯電部材の変位動作に連動して揺動することによりシートの転写ベルトへの突入位置を変えることを特徴とする。
【００１４】
このようにすれば、モードに応じて位置が変位する転写ベルトに対し、その変位後の位置に適した突入位置にシートを案内することができ、シートの搬送性をより向上できる。
さらに、カラーモードにおいてシート搬送方向最上流の像担持体に対応して設けられた転写手段に転写電圧を供給する転写電圧供給手段を備え、前記転写電圧供給手段は、単色モードでは前記転写電圧を転写手段に代えて帯電部材に供給することを特徴とする。
【００１５】
このようにすれば、帯電部材に供給すべき吸着用の電圧を転写電圧と兼用でき、転写電圧供給手段として例えばトランスを吸着電圧用に別途配置する必要がなくなり、さらなるコスト低減を図れる。
【発明を実施するための最良の形態】
【００１６】
以下、本発明に係る画像形成装置の実施の形態を、タンデム型カラーデジタルプリンタ（以下、単に「プリンタ」という。）を例にして説明する。
＜第１の実施の形態＞
（１）プリンタ１の構成
図１は、プリンタ１の全体の構成を示す図である。
【００１７】
同図に示すように、プリンタ１は、イエロー（Ｙ）、マゼンタ（Ｍ）、シアン（Ｃ）、ブラック（Ｋ）の各色のそれぞれに対応する作像部１Ｙ、１Ｍ、１Ｃ、１Ｋを有する画像プロセス部１０と、給送部２０と、定着部３０と、高圧出力部３２および制御部４０などを備えており、ネットワーク、例えばＬＡＮに接続されて、外部の端末装置（不図示）からの印刷（プリント）指示を受け付けると、その指示に基づいて画像形成を実行するものである。
【００１８】
画像形成としては、カラー画像形成を行うカラーモードと、単色、例えばブラック色の画像形成を行う単色モードとを切り換えて実行できるようになっている。カラーモードの場合は、作像部１Ｙ〜１Ｋが用いられ、単色モードの場合は、作像部１Ｋだけが用いられる。以下、イエロー、マゼンタ、シアン、ブラックの各再現色をＹ、Ｍ、Ｃ、Ｋと表し、各再現色に関連する構成部分の番号にこのＹ、Ｍ、Ｃ、Ｋを添字として付加する。
【００１９】
画像プロセス部１０は、作像部１Ｙ〜１Ｋに加えて、露光部７、トナーホッパ８Ｙ〜８Ｋ、転写ベルト１１、吸着ローラ２４などを備える。
作像部１Ｙ〜１Ｋは、転写ベルト１１に対向して用紙（シート）搬送方向（矢印Ａ方向）の上流側から下流側に沿って所定間隔で列設されており、像担持体の一例としての感光体ドラム２Ｙ〜２Ｋと、その周囲に配設された帯電器３Ｙ〜３Ｋ、現像器４Ｙ〜４Ｋ、転写ベルト１１を挟んで感光体ドラム２Ｙ〜２Ｋと対向する転写ローラ５Ｙ〜５Ｋおよびクリーナ６Ｙ〜６Ｋなどを備えている。
【００２０】
露光部７は、プリントヘッド７Ｙ〜７Ｋを備え、プリントヘッド７Ｙ〜７Ｋは、それぞれが光源、ポリゴンミラー等（不図示）を有している。
トナーホッパ８Ｙ〜８Ｋは、現像剤としての補充用のトナーが充填されており、必要に応じてトナーを現像器４Ｙ〜４Ｋに供給する。
転写ベルト１１は、駆動ローラ１２と、従動ローラ１３と、転写ローラ５Ｙ〜５Ｋと、テンションローラ１４および補助ローラ１５に張架され、不図示のモータによりＡ方向に回転駆動される。転写ベルト１１は、そのシート搬送面１１１が、図２（ａ）に示すようにカラーモードの場合に感光体ドラム２Ｙ〜２Ｋと接触する位置（第１位置）と、図２（ｂ）に示すように単色モードの場合に感光体ドラム２Ｋと接触し感光体ドラム２Ｙ〜２Ｃから離間する位置（第２位置）との間を揺動自在に支持されている。この支持機構については後述する。
【００２１】
給送部２０は、シートとしての用紙Ｓを収容する給紙カセット２１と、給紙カセット２１内の用紙Ｓを用紙搬送路２５に１枚ずつ繰り出す繰り出しローラ２２および転写ベルト１１に用紙Ｓを送るタイミングをとるためのタイミングローラ対２３などを備えている。
吸着ローラ２４は、タイミングローラ対２３を通過した用紙Ｓを転写ベルト１１のシート搬送面１１１に静電吸着させるためのローラである。吸着ローラ２４は、矢印Ｂ方向に移動自在に支持されており、モータ６１の駆動力により、カラーモードの場合には転写ベルト１１のシート搬送面１１１から離間する位置（離間位置：図２（ａ））と、単色モードの場合にはシート搬送面１１１と接触する位置（接触位置：図２（ｂ））にそれぞれ位置するように制御される。
【００２２】
高圧出力部（ＨＶ）３２は、転写ローラ５Ｙ〜５Ｋに転写電圧を供給し、また吸着ローラ２４に用紙吸着のための電圧（吸着電圧）を供給する。ここでは吸着電圧として転写電圧と同じ値の電圧が供給される。
制御部４０は、外部の端末装置から、例えばカラーモードによる画像形成の指示を受けると、送信されて来る画像信号を受信して、これをＹ、Ｍ、Ｃ、Ｋ色のデジタル画像信号に変換し、プリントヘッド７Ｙ〜７Ｋを駆動させるための駆動信号を生成する。プリントヘッド７Ｙ〜７Ｋは、制御部４０からの駆動信号を受けて光源からレーザ光Ｌを発し、発せられたレーザ光Ｌをポリゴンミラーで偏向して、感光体ドラム２Ｙ〜２Ｋを主走査方向に露光する。
【００２３】
感光体ドラム２Ｙ〜２Ｋは、前記露光を受ける前にクリーナ６Ｙ〜６Ｋで表面の残存トナーが除去され、不図示のイレーサランプに照射されて除電された後、帯電器３Ｙ〜３Ｋにより一様に帯電されており、このように一様に帯電した状態で上記レーザ光Ｌによる露光を受けると、感光体ドラム２Ｙ〜２Ｋの表面に静電潜像が形成される。各静電潜像は、それぞれ各色の現像器４Ｙ〜４Ｋにより現像され、これにより感光体ドラム２Ｙ〜２Ｋ表面にＹ、Ｍ、Ｃ、Ｋ色のトナー像が作像される。
【００２４】
この作像動作と同期してタイミングローラ対２３から用紙Ｓが転写ベルト１１に給送されて来ており、感光体ドラム２Ｙ〜２Ｋに作像されたトナー像は、転写ベルト１１により搬送される用紙Ｓ上に各転写位置９Ｙ〜９Ｋにおいて順次、静電転写される。この際、感光体ドラム２Ｙ〜２における作像動作は、各色の画像が上記搬送される用紙Ｓ上の同じ位置に重ね合わせて転写されるようなタイミングで実行される。
【００２５】
吸着ローラ２４は、図２（ａ）に示すように離間位置に位置しており、吸着電圧が供給されていない。これにより、吸着ローラ２４による吸着電流がＹ色の転写位置９Ｙに流れ込むことなどによる転写への影響を防止でき、転写位置９Ｙと吸着位置１９の間の距離をより短くすることで装置小型化を図れる。また、常時接触する構成をとれば、吸着ローラ２４に紙粉等が付着し、吸着ローラ２４の抵抗値が変化して早期に吸着性能が低下することがあるが、離間する構成をとることにより紙粉等の付着を抑えてローラ抵抗値の変化を抑制し、耐久によっても安定した吸着性能を得られ、用紙搬送性をより安定させることができる。
【００２６】
用紙Ｓの転写ベルト１１への吸着は、用紙Ｓが転写位置９Ｙを通過する際に、転写ローラ５Ｙに印加された転写電圧の静電作用により行われる。転写位置９Ｙにおいて転写ベルト１１に静電吸着された用紙Ｓは、吸着された状態で転写位置９Ｙ〜９Ｋを通過する。
各色のトナー像が転写された用紙Ｓは、定着部３０において熱定着された後、排出ローラ対３１を介して排紙トレイ３３上に排出される。これによりカラー画像が形成される。
【００２７】
上記では、カラーモードの場合を説明したが、単色モードへの切換時には、図２（ｂ）に示すように、吸着ローラ２４が離間位置から接触位置に移動し、これに連動して転写ベルト１１が第１位置から第２位置まで揺動する。また、吸着ローラ２４に吸着電圧が供給され、感光体ドラム２Ｙ〜２Ｃの駆動が停止され、転写ローラ５Ｙ〜５Ｃへの転写電圧の供給が停止される。吸着ローラ２４は、回転する転写ベルト１１に吸着位置１９で接触して転写ベルト１１と従動回転する。タイミングローラ対２３から送られて来た用紙Ｓは、吸着ローラ２４と転写ベルト１１の間を通過し、その際、転写ベルト１１のシート搬送面１１１に静電吸着され、吸着された状態で転写位置９Ｋに搬送され、感光体ドラム２Ｋ上に作像されたトナー像が転写された後、定着部３０を介して排紙トレイ３３に排出される。感光体ドラム２Ｙ〜２Ｃが転写ベルト１１から離間するので、接触して摺動することによる磨耗等を防止できる。また、感光体ドラム２Ｙ〜２Ｃが停止するので、クリーナ６Ｙ〜６Ｃとの摩擦による磨耗を合わせて防止できる。さらに、吸着位置１９と転写位置９Ｋとが十分離れているので、吸着電圧がＫ色の転写に影響を与えることもない。
【００２８】
なお、感光体ドラム２Ｙの周辺には、ＡＩＤＣセンサ１６が配設されている。ＡＩＤＣセンサ１６は、反射型の光学センサであり、感光体ドラム２Ｙ上に形成されたトナーパッチの濃度等を検出し、その検出結果を制御部４０に送る。制御部４０は、ＡＩＤＣセンサ１６からの検出信号に基づいてトナー濃度制御等の公知の画像安定化制御を実行する。
図３は、転写ベルト１１と吸着ローラ２４の支持機構を説明するための分解斜視図である。同図は、図１において作像ユニット側から転写ベルトを見たときの図であり、感光体ドラムなど説明に関係のない部材について図示を省略しており、また一部を切り欠いて示している。なお、機構説明のための概要図であり、各部材の相対的な大きさ等について実際のものと異なる場合がある。転写ローラ５Ｙ〜５Ｋや吸着ローラ２４などには、転写電圧を印加するためのリード線等が電気的に接続されるが、これらも省略されている。
【００２９】
図３に示すように、転写ベルト支持機構１１０は、本体フレーム５０、揺動フレーム５５、駆動ローラ１２、従動ローラ１３、転写ローラ５Ｙ〜５Ｋ、テンションローラ１４、補助ローラ１５などからなる。これらローラは、その回転軸が矢印Ｘ方向（主走査方向に相当）に平行になるように配置される。
本体フレーム５０は、ベース５０１の、Ｘ方向両側に互いに平行な側板５１、５２が立設されてなる。揺動フレーム５５は、ベース５５１のＸ方向両側に互いに平行な側板５３、５４が立設されてなり、本体フレーム５０の側板５１、５２間に位置する関係になっている。
【００３０】
駆動ローラ１２と転写ローラ５Ｋは、側板５１、５２に回転自在に支持される。なお、駆動ローラ１２の一方端は、不図示の駆動機構を介して駆動モータに接続される。
転写ローラ５Ｙ、５Ｍ、５Ｃ、テンションローラ１４は、側板５３、５４に回転自在に支持される。
補助ローラ１５は、その軸部が側板５３、５４に設けられた軸受部５３０、５４０に回転自在に支持されると共に、その両端が側板５１、５２まで延伸され、側板５１、５２の軸受部５１０、５２０に回転自在に支持される。
【００３１】
従動ローラ１３は、その軸１３１が、側板５３、５４に設けられた軸受部５３１、５４１により回転自在に支持されると共に、軸１３１の両端が側板５１、５２まで延伸され、側板５１、５２に設けられた長孔５１１、５２１に遊嵌される。
これにより、揺動フレーム５５は、本体フレーム５０に対し、補助ローラ１５を支軸に従動ローラ１３の軸１３１が長孔５１１、５２１に沿って移動可能な分だけ揺動できることになる。揺動フレーム５５の揺動に伴って転写ベルト１１も補助ローラ１５よりシート搬送方向（矢印Ａ方向）上流側の部分が揺動する。この揺動により転写ベルト１１と感光体ドラム２Ｙ〜２Ｃとが接触または離間される。なお、感光体ドラム２Ｙ〜２Ｋ、転写ローラ５Ｋは、その位置が固定されている。
【００３２】
揺動フレーム５５は、そのベース５５１が圧縮ばね５７、５８を介して本体フレーム５０のベース５０１に接続されており、圧縮ばね５７、５８の矢印Ｄ方向の付勢力により、転写ベルト１１が感光体ドラム２Ｙ〜２Ｃに接触する位置まで押圧されて停止する。このときの転写ベルト１１の位置が上記第１位置に相当する。なお、転写ベルト１１が第１位置に位置できれば良く、例えば従動ローラ１３の軸１３１が長孔５１１、５２１の矢印Ｄ方向一杯まで移動したときに転写ベルト１１が第１位置に位置するように感光体ドラム２Ｙ等と長孔５１１、５２１の位置関係を決めるとしても良いし、長孔で規制せずに転写ベルト１１が感光体ドラム２Ｙ等を押圧する位置を第１位置とするとしても良い。
【００３３】
吸着ローラ支持機構２４０は、揺動フレーム２４１、回転軸２４２、カム２４３、２４４、カム軸２４５、圧縮バネ２４７、２４８などからなる。
揺動フレーム２４１は、プレート２４１０の両側にアーム２４１１、２４１２が取着されてなるコの字状の部材である。吸着ローラ２４は、その回転軸がＸ方向に平行になるようにアーム２４１１、２４１２に回転自在に軸架されている。
【００３４】
回転軸２４２は、アーム２４１１、２４１２を貫通すると共にアーム２４１１、２４１２に固着されており、その両端が側板５１、５２に設けられた軸受部５１３、５２３に回転自在に支持される。
カム２４３、２４４は、カム軸２４５に取着されており、アーム２４１１、２４１２の、ベース５０１側とは反対側に配置される。カム軸２４５は、側板５１、５２に設けられた軸受部５１２、５２２に回転自在に支持され、カム軸２４５の端部には、ギア６４が取着されている。ギア６４は、ギア６５を介して、モータ６１の回転軸に取着されたギア６１１と歯合している。モータ６１は、例えばステッピングモータからなる。
【００３５】
アーム２４１１、２４１２は、圧縮ばね２４７、２４８を介してベース５０１と接続されており、圧縮ばね２４７、２４８の付勢力によりＤ方向に押圧されて、カム２４３、２４４の周面に常時当接される。
カム軸２４５の端部には、円板状の部材６３が取着されている。部材６３の外周には切り欠きが１つ設けられている。この切り欠きは、吸着ローラ２４が離間位置に位置したときに位置検出センサ６２により検出されるものである。位置検出センサ６２は、発光部と受光部を有する公知の透過型の光学センサであり、当該切り欠きを検出すると、その検出信号を制御部４０に送る。制御部４０は、位置検出センサ６２からの検出信号に基づいて吸着ローラ２４を離間位置から接触位置に、接触位置から離間位置に移動させる移動制御を行う。
【００３６】
このような構成においてモータ６１が回転すると、その駆動力がギア６１１、６４を介してカム軸２４５に伝わり、カム２４３、２４４が回転して、揺動フレーム２４１が回転軸２４２を支軸にカム２４３、２４４の偏心分に相当する距離だけ揺動する。吸着ローラ２４がベース５０１に最も遠い位置が離間位置、最も近い位置が接触位置に相当する。
カラーモードにおいて吸着ローラ２４が離間位置にあるときには、吸着ローラ２４と転写ベルト１１は接触せず、転写ベルト１１が圧縮バネ５７、５８の付勢力により第１位置に位置する。
【００３７】
カラーモードから単色モードに切り換えられる場合には、モータ６１の駆動により揺動フレーム２４１の矢印Ｅ方向への揺動が開始され、アーム２４１１、２４１２が側板５３、５４に設けられた折曲片５３２、５４２に当接すると、揺動フレーム２４１が揺動フレーム５５を押圧する。揺動フレーム５５は、揺動フレーム２４１からの押圧力を受けて、圧縮バネ５７、５８の付勢力に抗して揺動フレーム２４１と連動してＥ方向に揺動する。なお、アーム２４１１、２４１２が折曲片５３２、５４２に当接した状態で、吸着ローラ２４が吸着位置１９において吸着に適した押圧力で転写ベルト１１に接触するように、アーム２４１１、２４１２と折曲片５３２、５４２の大きさおよび位置関係が設定されている。
【００３８】
吸着ローラ２４が接触位置に到達すると、モータ６１が停止して、吸着ローラ２４が吸着位置１９で転写ベルト１１と接触すると共に、感光体ドラム２Ｙ〜２Ｃが転写ベルト１１から離間した状態になる。このときの転写ベルト１１の位置が第２位置に相当する。
単色モードからカラーモードに切り換えられる場合には、モータ６１の駆動により揺動フレーム２４１のＤ方向への揺動が開始される。その揺動の間に、アーム２４１１、２４１２が折曲片５３２、５４２から離間すると、転写ベルト１１は、揺動フレーム５５に作用する圧縮バネ５７、５８の付勢力により第１位置に戻る。また、吸着ローラ２４がホームポジションに到達すると、モータ６１が停止して吸着ローラ２４が離間位置に戻る。
【００３９】
図４は、制御部４０の構成を示す図である。
同図に示すように、制御部４０は、ＣＰＵ４１、通信インターフェース（Ｉ／Ｆ）部４２、ＲＯＭ４３およびＲＡＭ４４などを備える。
通信Ｉ／Ｆ部４２は、ＬＡＮカード、ＬＡＮボードといったＬＡＮに接続するためのインターフェースである。
【００４０】
ＣＰＵ４１は、ＲＯＭ４３から必要なプログラムを読み出して、画像プロセス部１０、給送部２０等の動作をタイミングを取りながら統一的に制御して円滑な画像形成動作を実行させる。また、位置検出センサ６２からの検出信号により吸着ローラ移動制御を行う。
具体的には、切り欠きの位置をホームポジションとして、位置検出センサ６２から切り欠きの検出信号を受信すると吸着ローラ２４が離間位置に位置していることを判断する。
【００４１】
また、吸着ローラ２４を離間位置から接触位置まで変位させるのに必要なカム２４３、２４４の回転角に対応するモータ６１への駆動パルス数を示す情報を予め記憶しており、カラーモードから単色モードに切り換えるときには、ホームポジションを検出している状態から当該駆動パルス数だけモータ６１を回転させることで、吸着ローラ２４を接触位置まで移動させる。さらに、単色モードからカラーモードに切り換えるときには、切り欠きが検出されるまでモータ６１を回転させて吸着ローラ２４を離間位置まで移動させる。
【００４２】
ＣＰＵ４１は、高圧出力部３２に指示して、カラーモード時には転写ローラ５Ｙ〜５Ｋに転写電圧を供給させ、単色モード時には転写ローラ５Ｋに転写電圧を、吸着ローラ２４に吸着電圧を供給させる。ＲＯＭ４３には、カラーおよび単色の画像形成動作および吸着ローラ移動制御等のプログラム等が格納されている。ＲＡＭ４４は、ＣＰＵ４１のプログラム実行時のワークエリアとして用いられる。
【００４３】
上記のような構成をとることで、駆動源としての１つのモータ６１により、カラーから単色モードに切り換える場合には、吸着ローラ２４の離間位置から接触位置への変位動作に連動して転写ベルト１１を第１位置から第２位置に変位させることができ、単色からカラーモードに切り換える場合には、吸着ローラ２４の接触位置から離間位置への変位動作に連動して転写ベルト１１を第２位置から第１位置に変位させることができ、転写ベルト１１と吸着ローラ２４それぞれに個別にアクチュエータを設ける従来の構成に比べてコストを低減できる。
【００４４】
また、吸着電圧を転写電圧と兼用しており、高圧出力部３２内に吸着電圧出力用のトランスを別途設ける必要がなく、コスト低減を図れる。
なお、上記ではモータ６１を本体フレーム５０に配置する例を説明したが、モータ６１の配設位置はこれに限られない。例えば、感光体ドラムを駆動させるための別の駆動モータ等と１箇所にまとめて配設するとしても良い。また、駆動源としてモータ６１を設けるとしたが、例えば転写ベルト１１を回転させる駆動モータ等の駆動力を利用して、電磁クラッチ等の動力断続手段を介してカム軸２４５に伝達する構成をとることもできる。
【００４５】
＜第２の実施の形態＞
第１の実施の形態では、吸着ローラ２４を揺動させる構成例を説明したが、本実施の形態では、図５に示すように直線移動させる構成としており、この点が第１の実施の形態と異なっている。以下、説明の重複を避けるため、第１の実施の形態と同じ内容についてはその説明を省略し、同じ構成要素については、同符号を付すものとする。
【００４６】
図５（ａ）は、カラーモード時における転写ベルト１１と吸着ローラ２４の位置関係を示す図であり、図５（ｂ）は、単色モード時における位置関係を示す図である。また、図６は、転写ベルト１１と吸着ローラ２４の支持機構を説明するための分解斜視図である。
図６に示すように、転写ベルト１１の支持機構は、第１の実施の形態と同様の構成であるが、ベース５５１の、従動ローラ１３と対向する部分に、切り欠き５５２が設けられている点が異なっている。この切り欠き５５２は、吸着ローラ支持機構２００を配置するためのスペースに相当し、吸着ローラ支持機構２００がベース５５１に接触することがないようになっている。
【００４７】
吸着ローラ支持機構２００は、支持フレーム２０１、カム軸２０２、カム２０３、２０４、引っ張りバネ２０５、２０６などからなる。
支持フレーム２０１は、プレート２１０の両側にアーム２１１、２１２が取着されてなるコの字状の部材であり、アーム２１１、２１２に吸着ローラ２４が回転自在に軸架されている。アーム２１１、２１２には、長孔２０１１、２０１２が設けられている。
【００４８】
カム２０３、２０４はカム軸２０２に取着されており、カム軸２０２は、その両端が側板５１、５２に設けられた軸受部５１５、５２５に回転自在に支持され、ギア６４等を介してモータ６１の回転軸に接続される。
支持フレーム２０１は、プレート２１０が引っ張りばね２０５、２０６を介してベース５０１と接続されており、引っ張りばね２０５、２０６によりＥ方向に引っ張られて、カム２０３、２０４の周面に常時当接される。
【００４９】
従動ローラ１３は、その軸１３１の両側が長孔２０１１、２０１２を介して側板５３、５４に設けられた軸受部５３１、５４１に回転自在に支持されている。軸１３１の両端は、側板５１、５２まで延出されて側板５１、５２に設けられた長孔５１１、５２１に係合される。長孔２０１１、２０１２は、支持フレーム２０１が移動したときに、吸着ローラ２４がカラーモードで転写ベルト１１から離間し、単色モードで接触するように従動ローラ１３のＤ方向およびＥ方向への変位を許容するためのものである。
【００５０】
なお、図示していないが側板５３、５４には、アーム２１１、２１２に設けられたガイド片２２１、２２２と係合して、アーム２１１、２１２をＤ方向に平行な方向に移動自在に保持するガイド溝が設けられている。
このような構成においてモータ６１が回転すると、カム２０３、２０４が回転して、支持フレーム２０１がカム２０３、２０４の偏心分に相当する距離だけＤ方向とＥ方向に往復運動する。吸着ローラ２４がベース５０１に対し最も遠い位置が離間位置、最も近い位置が接触位置になる。
【００５１】
カラーモードにおいて吸着ローラ２４が離間位置にあるときには、図５（ａ）に示すように吸着ローラ２４と転写ベルト１１は接触せず、転写ベルト１１が圧縮バネ５７、５８の付勢力により第１位置に位置する。
カラーモードから単色モードに切り換えられる場合には、支持フレーム２０１のＥ方向への移動が開始され、吸着ローラ２４が転写ベルト１１に当接すると、吸着ローラ２４が転写ベルト１１を押圧する。揺動フレーム５５は、その押圧力を受けて、圧縮バネ５７、５８の付勢力に抗して支持フレーム２０１と連動してＥ方向に揺動する。支持フレーム２０１に連動して揺動フレーム５５を揺動させるために、引っ張りバネ２０５、２０６としてその引っ張り力が圧縮バネ５７、５８の付勢力よりも強いものが用いられている。
【００５２】
吸着ローラ２４が接触位置に到達すると、モータ６１が停止して、図５（ｂ）に示すように吸着ローラ２４が吸着位置１９で転写ベルト１１と接触すると共に、感光体ドラム２Ｙ〜２Ｃが転写ベルト１１から離間した状態になる。
単色モードからカラーモードに切り換えられる場合には、支持フレーム２０１のＤ方向への移動が開始され、その間に、吸着ローラ２４が転写ベルト１１から離間して、ホームポジションに到達すると、モータ６１が停止して離間位置に戻る。転写ベルト１１は、揺動フレーム５５に作用する圧縮バネ５７、５８の付勢力により第１位置に戻る。
【００５３】
このように吸着ローラ２４を転写ベルト１１のシート搬送面１１１に略直交する方向に直線移動させる構成をとれば、転写ベルト１１とタイミングローラ対２３の間に吸着ローラ２４の支持機構を配置するためのスペースをとらなくて良くなり、装置の小型化と共に設計の自由度が広がる。
なお、上記ではカラーモードから単色モードに切り換えられる場合に、吸着ローラ２４が転写ベルト１１を介して揺動フレーム５５を押圧するとしたが、第１の実施の形態と同様に支持フレーム２０１と揺動フレーム５５とが係合して押圧する構成をとることもできる。また、吸着ローラ２４が転写ベルト１１に、支持フレーム２０１が揺動フレーム５５にそれぞれ同時に係合して押圧する構成をとるとしても良い。このことは他の実施の形態について同じである。
【００５４】
＜第３の実施の形態＞
上記実施の形態では、転写ローラ５Ｙ〜５Ｃ、従動ローラ１３、テンションローラ１４が転写ベルト１１と共に揺動する構成例を説明したが、本実施の形態では、従動ローラ１３とテンションローラ１４が変位しない構成としており、この点が異なっている。
図７（ａ）は、カラーモード時における転写ベルト１１と吸着ローラ２４の位置関係を示す図であり、図７（ｂ）は、単色モード時における位置関係を示す図である。また、図８は、転写ベルト１１と吸着ローラ２４の支持機構を説明するための分解斜視図である。
【００５５】
図８に示すように、揺動フレーム４０５は、ベース４０５１の両側に相互に平行な側板４０３、４０４が立設されてなり、ベース４０５１が転写ベルト１１の内側の空間をＸ方向に挿通されるように、側板４０３、４０４が転写ベルト１１の外側に位置するように配される。転写ローラ５Ｍ、５Ｃは、側板４０３、４０４に回転自在に支持される。転写ローラ５Ｙは、その軸部が側板４０３、４０４に設けられた軸受部４０７、４０８により回転自在に支持されると共に、その軸部の両端が本体フレーム５０の側板５１、５２まで延伸され、側板５１、５２に設けられた長孔５１６、５２６に遊嵌される。
【００５６】
揺動フレーム４０５は、本体フレーム５０に対し、補助ローラ１５を支軸に転写ローラ５Ｙの軸部が長孔５１６、５２６に沿って移動可能な分だけ揺動できることになる。揺動フレーム４０５の揺動に伴って転写ベルト１１も転写ローラ５Ｙから補助ローラ１５までの部分が揺動する。この揺動により転写ベルト１１が感光体ドラム２Ｙ〜２Ｃと接触または離間される。
【００５７】
テンションローラ１４は、側板５１、５２に回転自在に支持される。
従動ローラ１３は、吸着ローラ支持機構２００のアーム２１１、２１２に設けられた長孔２０１１、２０１２を介して側板５１、５２に設けられた軸受部５１８、５２８に回転自在に支持される。吸着ローラ支持機構２００は、第２の実施の形態と基本的に同じ構成である。なお、アーム２１１、２１２には、突出片２２３、２２４が設けられている。アーム２１１、２１２のガイド片２２１、２２２は、側板５１、５２に設けられたガイド溝５１７、５２７に係合し、支持フレーム２０１がＤ方向に平行な方向に移動自在に支持されるようになっている。
【００５８】
カラーモードにおいて吸着ローラ２４が離間位置にあるときには、図７（ａ）に示すように吸着ローラ２４と転写ベルト１１は接触せず、転写ベルト１１が圧縮バネ５７、５８の付勢力により第１位置に位置する。
カラーモードから単色モードに切り換えられる場合には、支持フレーム２０１のＥ方向への移動が開始され、アーム２１１、２１２の突出片２２３、２２４が側板４０３、４０４に設けられた折曲片４０９、４１０に当接すると、支持フレーム２０１が揺動フレーム４０５を押圧する。この押圧力を受けて、揺動フレーム４０５は、圧縮バネ５７、５８の付勢力に抗して支持フレーム２０１と連動してＥ方向に揺動する。
【００５９】
吸着ローラ２４が接触位置に到達すると、図７（ｂ）に示すように吸着ローラ２４が転写ベルト１１と接触すると共に、感光体ドラム２Ｙ〜２Ｃが転写ベルト１１から離間した状態になる。なお、吸着ローラ２４が接触位置に到達したときに吸着ローラ２４が吸着に適した押圧力で転写ベルト１１に接触するように、突出片２２３、２２４の形状や位置関係等が設定されている。
【００６０】
単色モードからカラーモードに切り換えられる場合には、上記と逆の動作により吸着ローラ２４が離間位置に戻り、転写ベルト１１が第１位置に戻る。
このように従動ローラ１３を変位させない構成をとれば、いずれのモード時でも用紙Ｓの、タイミングローラ対２３から転写ベルト１１への進入経路が同じになり、用紙搬送性の向上を図れる。また、駆動ローラ１２と従動ローラ１３の位置が固定されることにより、転写ベルト１１の装置本体に対する位置決めをより確実に行うことができる。
【００６１】
＜第４の実施の形態＞
本実施の形態では、タイミングローラ対２３から転写ベルト１１までの間に、吸着ローラ２４の移動に連動して動作する用紙ガイドが配置される。
図９（ａ）は、カラーモード時における用紙ガイド６００と転写ベルト１１の位置関係を示す図であり、図９（ｂ）は、単色モード時における位置関係を示す図である。図１０は、用紙ガイド６００の構成を説明するための分解斜視図である。図１０では、第１の実施の形態に係る構成に用紙ガイド６００が配置された例を示している。
【００６２】
図１０に示すように、用紙ガイド６００は、ガイド板６０１と、ガイド板６０１の両側に配された当接片６０３、６０４からなる。
ガイド板６０１は、用紙Ｓを転写ベルト１１まで案内するガイドである。図９に示すように用紙Ｓは、ガイド板６０１のガイド面６１４上を搬送される。
用紙ガイド６００のＸ方向長さは、揺動フレーム２４１のアーム２４１１と２４１２の間隔よりもやや短くなっており、当接片６０３、６０４がアーム２４１１、２４１２の内側に位置するように配置される。
【００６３】
用紙ガイド６００には回転軸６０２が取着されており、回転軸６０２は、本体フレーム５０の側板５１、５２に設けられた軸受部５１９、５２９に回転自在に支持される。
ガイド板６０１は、圧縮バネ６０５、６０６を介してベース５０１に接続されており、圧縮バネ６０５、６０６によりＤ方向に付勢される。これにより当接片６０３、６０４が吸着ローラ２４の回転軸２４００に常時当接される構成になっている。
【００６４】
カラーモードにおいて吸着ローラ２４が離間位置にあるときには、図９（ａ）に示すように用紙ガイド６００が略垂直の状態になり、用紙Ｓを転写位置９Ｙに向けて案内する。
カラーモードから単色モードに切り換えられると、揺動フレーム２４１のＥ方向への揺動により吸着ローラ２４が移動する。用紙ガイド６００は、吸着ローラ２４からＥ方向の押圧力を受けて、吸着ローラ２４と連動して同方向に回転軸６０２を支軸に揺動する。
【００６５】
吸着ローラ２４が接触位置に到達すると、用紙ガイド６００が略垂直の状態から図９（ｂ）に示すように従動ローラ１３側に傾斜した状態になり、用紙Ｓを吸着ローラ２４と転写ベルト１１の接触位置（吸着位置１９）に向けて案内する。
このように吸着ローラ２４の動作に連動して用紙Ｓの転写ベルト１１への突入位置を切り換えることにより、いずれのモードでも用紙Ｓをその先端が転写ベルト１１のシート搬送面１１１に沿うように搬送でき、用紙搬送性のさらなる向上を図れる。
【００６６】
上記では、用紙ガイド６００を第１の実施の形態に係る構成に適用した例を説明したが、吸着ローラ２４の移動に伴ってガイド板が揺動して用紙Ｓの進行方向を変える構成であれば、これに限られることはない。例えば、第３の実施の形態に適用することも可能であろう。
＜変形例＞
以上、本発明を実施の形態に基づいて説明してきたが、本発明は、上述の実施の形態に限定されないのは勿論であり、以下のような変形例が考えられる。
【００６７】
（１）上記実施の形態では、吸着ローラ２４の変位動作に連動して転写ベルト１１が変位する構成例を説明したが、一方の変位動作に連動して他方が変位する機構であれば、上記の構成例に限られない。例えば、カラーモードから単色モードへの切換時に、転写ベルト１１をモータの駆動力により第１位置から第２位置に揺動させ、その動作に連動して吸着ローラ２４が離間位置から接触位置に変位するように構成することが考えられる。この構成の場合、例えば転写ベルト１１の揺動量（変位量）よりも吸着ローラの移動量（変位量）の方が大きくなるように転写ベルト１１と吸着ローラ２４の支持機構が構成される。
【００６８】
（２）上記実施の形態では、１つの駆動源としてモータ６１を用いたが、これに限られない。例えば、ソレノイド等の公知のアクチュエータを用いることができる。また、シートを転写ベルト１１に吸着させるための帯電部材として吸着ローラ２４を用いたが、帯電部材はローラに限られず、例えばブラシ状のものを用いるとしても良い。そして、本発明の画像形成装置をタンデム型カラーデジタルプリンタに適用した場合の例を説明したが、これに限られず、複写機、ＦＡＸ、ＭＦＰ（Multiple Function Peripheral）等に適用できる。また、転写電圧供給手段としての高圧出力部３２において、同じ値の電圧（転写電圧）をモードに応じて出力先（転写ローラ５Ｙと吸着ローラ２４）を切り換えて出力するとしたが、これに限られず、転写と吸着で異なる電圧を出力できるトランス等の電圧供給手段を設けるとしても良い。
【００６９】
（３）上記実施の形態では、４個の像担持体を備える構成例を説明したが、複数の像担持体を備える構成であれば良い。また、単色モードで用いる像担持体を、シート搬送方向最下流に位置する像担持体（吸着位置１９から最も離れた像担持体）としたが、これに限られない。例えば、最上流の像担持体を除く、いずれかの像担持体とすることができる。
具体的に、シート搬送方向最上流の像担持体を１番目、隣の像担持体を２番目・・とすると、３番目の像担持体を単色用に用いることが考えられる。この場合、転写ベルト１１の、３番目の像担持体よりもシート搬送方向上流側の部分が１番目、２番目の各像担持体から離間すると共に、３番目の像担持体よりもシート搬送方向下流側の部分が４番目の像担持体から離間するように転写ベルト１１を揺動自在に支持する機構がとられる。カラーモードから単色モードに切り換えられる場合に、吸着ローラ２４の変位動作に連動して転写ベルト１１が揺動されることになる。
【００７０】
また、上記実施の形態及び上記変形例をそれぞれ組み合わせるとしても良い。
【産業上の利用可能性】
【００７１】
本発明は、カラーと単色の画像形成を切り換えて実行可能な画像形成装置に広く適用することができる。
【図面の簡単な説明】
【００７２】
【図１】第１の実施の形態に係るプリンタの全体の構成を示す図である。
【図２】（ａ）は、カラーモード時の転写ベルトと吸着ローラの位置関係を示す図であり、（ｂ）は、単色モード時の位置関係を示す図である。
【図３】転写ベルトと吸着ローラの支持機構を説明するための分解斜視図である。
【図４】上記プリンタの制御部の構成を示す図である。
【図５】（ａ）は、第２の実施の形態におけるカラーモード時の転写ベルトと吸着ローラの位置関係を示す図であり、（ｂ）は、単色モード時の位置関係を示す図である。
【図６】第２の実施の形態における転写ベルトと吸着ローラの支持機構を説明するための分解斜視図である。
【図７】（ａ）は、第３の実施の形態におけるカラーモード時の転写ベルトと吸着ローラの位置関係を示す図であり、（ｂ）は、単色モード時の位置関係を示す図である。
【図８】第３の実施の形態における転写ベルトと吸着ローラの支持機構を説明するための分解斜視図である。
【図９】（ａ）は、第４の実施の形態におけるカラーモード時の用紙ガイドと転写ベルトの位置関係を示す図であり、（ｂ）は、単色モード時の位置関係を示す図である。
【図１０】用紙ガイドの構成を説明するための分解斜視図である。
【符号の説明】
【００７３】
１      プリンタ
２Ｙ〜２Ｋ      感光体ドラム
５Ｙ〜５Ｋ      転写ローラ
１１      転写ベルト
１２      駆動ローラ
１３      従動ローラ
１５      補助ローラ
２４      吸着ローラ
３２      高圧出力部
５０      本体フレーム
５５、２４１、４０５      揺動フレーム
５７、５８、２４７、２４８、６０５、６０６      圧縮バネ
６１      モータ
１１１      シート搬送面
２０１      支持フレーム
２０５、２０６      引っ張りバネ
５１１、５１６、５２１、５２６      長孔
６００      用紙ガイド
【図１】
2008276140.tif 000003
【図２】
2008276140.tif 000004
【図３】
2008276140.tif 000005
【図４】
2008276140.tif 000006
【図５】
2008276140.tif 000007
【図６】
2008276140.tif 000008
【図７】
2008276140.tif 000009
【図８】
2008276140.tif 000010
【図９】
2008276140.tif 000011
【図１０】
2008276140.tif 000012